(57)【要約】【課題】除霜による加熱の中断を減すことができ、これにより加熱効率の向上が図れる冷凍サイクル装置を提供する。【解決手段】負荷に応じてヒートポンプ式冷凍サイクルの運転を制御するとともに、運転が中断したヒートポンプ式冷凍サイクルの蒸発器の着霜度合が第１設定値以上の場合に同蒸発器に対する除霜運転を実行する。【選択図】図１
2015152186.tif 000002
【特許請求の範囲】
【請求項１】
ヒートポンプ式冷凍サイクルの運転により熱媒体を加熱する冷凍サイクル装置において、
負荷に応じて前記ヒートポンプ式冷凍サイクルの運転を制御するとともに、運転が中断したヒートポンプ式冷凍サイクルの蒸発器の着霜度合が第１設定値以上の場合に同蒸発器に対する除霜運転を実行する制御手段、
を備えることを特徴とする冷凍サイクル装置。
【請求項２】
前記ヒートポンプ式冷凍サイクルを有する熱源機を複数台備え、
前記制御手段は、前記負荷に応じて前記各熱源機の運転台数を制御する、
ことを特徴とする請求項１記載の冷凍サイクル装置。
【請求項３】
前記制御手段は、
運転中の熱源機における蒸発器の着霜度合が第２設定値（＞第１設定値）以上の場合、その蒸発器に対する除霜運転を実行し、
運転が中断している熱源機における蒸発器の着霜度合が第１設定値以上の場合、その蒸発器に対する除霜運転を実行する、
ことを特徴とする請求項２記載の冷凍サイクル装置。
【請求項４】
前記制御手段は、運転中の熱源機における蒸発器の着霜度合が第２設定値以上で、その蒸発器が複数ある場合、その各蒸発器に対する除霜運転を順次に実行する、
ことを特徴とする請求項３記載の冷凍サイクル装置。
【請求項５】
前記制御手段は、
運転中の熱源機における蒸発器の着霜度合が第３設定値（＞第２設定値）以上の場合、その蒸発器に対する除霜運転を実行し、
運転中の熱源機における蒸発器の着霜度合が第３設定値未満かつ第２設定値以上で、その状態が第１設定時間ｔ１にわたり継続した場合、その蒸発器に対する除霜運転を実行し、
運転が中断している熱源機における蒸発器の着霜度合が第１設定値以上で、その状態が第２設定時間ｔ２（＞ｔ１）にわたり継続した場合、その蒸発器に対する除霜運転を実行する、
ことを特徴とする請求項３記載の冷凍サイクル装置。
【発明の詳細な説明】
【技術分野】
【０００１】
本発明は、ヒートポンプ式冷凍サイクルの運転により熱媒体を加熱する冷凍サイクル装置に関する。
【背景技術】
【０００２】
ヒートポンプ式冷凍サイクルの運転により外気から熱を汲み上げて熱媒体を加熱する冷凍サイクル装置では、蒸発器として機能する室外熱交換器の表面に徐々に霜が付着し、そのままでは外気からの汲み上げ熱量が減少して加熱量が減少してしまう。
【０００３】
対策として、室外熱交換器の着霜を検出し、着霜の度合が一定以上の場合は圧縮機の吐出冷媒（高温冷媒）が室外熱交換器に直接的に流れる除霜流路を形成し、高温冷媒の熱で室外熱交換器の霜を解かすようにしている。
【先行技術文献】
【特許文献】
【０００４】
【特許文献１】特開２００９−１８６１２３号公報
【発明の概要】
【発明が解決しようとする課題】
【０００５】
除霜は加熱を中断するものであり、この中断が多くなると加熱効率の低下を招いてしまう。  
本実施形態の目的は、除霜による加熱の中断を減らすことができ、これにより加熱効率の向上が図れる冷凍サイクル装置を提供することである。
【課題を解決するための手段】
【０００６】
請求項１の冷凍サイクル装置は、ヒートポンプ式冷凍サイクルの運転により熱媒体を加熱するものであって、制御手段を備える。制御手段は、負荷に応じてヒートポンプ式冷凍サイクルの運転を制御するとともに、運転が中断したヒートポンプ式冷凍サイクルの蒸発器の着霜度合が所定値以上の場合に同蒸発器に対する除霜運転を実行する。
【図面の簡単な説明】
【０００７】
【図１】一実施形態の構成を示す図。
【図２】一実施形態の熱源機における冷凍サイクルの構成を示す図。
【図３】一実施形態の制御を示すフローチャート。
【図４】一実施形態の着霜度合を示す図。
【発明を実施するための形態】
【０００８】
以下、本発明の一実施形態について図面を参照して説明する。  
図１に示すように、複数台の熱源機１に一対の水配管２ａ，２ｂを介して貯湯タンク３が接続される。各熱源機１は、互いに並列接続された状態にある。水配管２ａにポンプ４が配設され、そのポンプ４の運転により、貯湯タンク３内の水が水配管２ａ，２ｂおよび各熱源機１を通って循環する。各熱源機１は、ヒートポンプ式冷凍サイクルを備え、水配管２ａから供給される水を外気からの汲み上げ熱で加熱し、加熱した温水を水配管２ｂに供給する。
【０００９】
貯湯タンク３に一対の水配管５ａ，５ｂを介して水熱交換器６の流路６ａが接続され、その水配管５ａにポンプ７が配設される。ポンプ７の運転により、貯湯タンク３内の温水が水配管５ａ，５ｂおよび流路６ａを通って循環する。
【００１０】
水熱交換器６のもう１つの流路６ｂは一対の水配管８ａ，８ｂを介して利用側機器または設備に接続され、その水配管８ａにポンプ９が配設される。ポンプ９の運転により、利用側機器の水、薬品や洗浄液等の利用側液体が水配管８ａを通って流路６ｂに流入する。流路６ｂに流入した液体は、流路６ａ内の水から熱を得て温度上昇し、水配管８ｂにより利用側機器または設備に導かれる。
【００１１】
貯湯タンク３内に水温度センサ１１が配置され、その水温度センサ１１が制御部１０に接続される。制御部１０には、さらに、外気温度センサ１２が接続されるとともに、各熱源機１および上記ポンプ４，７，９が接続される。水温度センサ１１は、貯湯タンク３内の温水の温度Ｔｗ（℃）を検知する。外気温度センサ１２は、各熱源機１が配置されている屋外の外気温度Ｔｏ（℃）を検知する。
【００１２】
各熱源機１に搭載されるヒートポンプ式冷凍サイクルの構成を図２に示す。  
圧縮機２１の吐出冷媒が四方弁２２を介してカスケード熱交換器２３の冷媒流路２３ａおよびカスケード熱交換器３３の冷媒流路３３ａに流れ、この冷媒流路２３ａ，３３ａを経た冷媒が電子膨張弁２４ａ，２４ｂを介して空気熱交換器２５ａ，２５ｂに流れる。空気熱交換器２５ａ，２５ｂを経た冷媒は、四方弁２２およびアキュームレータ２６を通って圧縮機２１に吸込まれる。カスケード熱交換器２３，３３の冷媒流路２３ａ，３３ａは、互いに並列接続された状態にあり、凝縮器として機能する。空気熱交換器２５ａ，２５ｂは、電子膨張弁２４ａ，２４ｂを介して互いに並列接続された状態にあり、蒸発器として機能する。
【００１３】
これら圧縮機２１、四方弁２２、カスケード熱交換器２３の冷媒流路２３ａ、カスケード熱交換器３３の冷媒流路３３ａ、電子膨張弁２４ａ，２４ｂ、空気熱交換器２５ａ，２５ｂ、アキュームレータ２６により、第１低温側ヒートポンプ式冷凍サイクルが構成される。空気熱交換器２５ａ，２５ｂの冷媒流出側配管に、熱交換器温度（冷媒蒸発温度）Ｔｅを検知する熱交温度センサ６１ａ，６１ｂが配置される。
【００１４】
圧縮機３１の吐出冷媒が四方弁３２を介してカスケード熱交換器２３の冷媒流路２３ｂおよびカスケード熱交換器３３の冷媒流路３３ｂに流れ、この冷媒流路２３ｂ，３３ｂを経た冷媒が電子膨張弁３４ａ，３４ｂを介して空気熱交換器３５ａ，３５ｂに流れる。空気熱交換器３５ａ，３５ｂを経た冷媒は、四方弁３２およびアキュームレータ３６を通って圧縮機３１に吸込まれる。カスケード熱交換器２３，３３の冷媒流路２３ｂ，３３ｂは、互いに並列接続された状態にあり、貯湯運転時に凝縮器として機能する。空気熱交換器３５ａ，３５ｂは、電子膨張弁３４ａ，３４ｂを介して互いに並列接続された状態にあり、貯湯運転時に蒸発器として機能する。
【００１５】
これら圧縮機３１、四方弁３２、カスケード熱交換器２３の冷媒流路２３ｂ、カスケード熱交換器３３の冷媒流路３３ｂ、電子膨張弁３４ａ，３４ｂ、空気熱交換器３５ａ，３５ｂ、アキュームレータ３６により、第２低温側ヒートポンプ式冷凍サイクルが構成される。空気熱交換器３５ａ，３５ｂの冷媒流出側配管に、熱交換器温度（冷媒蒸発温度）Ｔｅを検知する熱交温度センサ６２ａ，６２ｂが配置される。
【００１６】
圧縮機４１の吐出冷媒が水熱交換器４２の冷媒流路４２ａに流れ、その冷媒流路４２ａを経た冷媒が電子膨張弁４３を介してカスケード熱交換器２３の冷媒流路２３ｃに流れる。冷媒流路２３ｃを経た冷媒は、アキュームレータ４４を通って圧縮機４１に吸込まれる。水熱交換器４２の冷媒流路４２ａが凝縮器として機能し、カスケード熱交換器２３の冷媒流路２３ｃが蒸発器として機能する。
【００１７】
これら圧縮機４１、水熱交換器４２の冷媒流路４２ａ、電子膨張弁４３、カスケード熱交換器２３の冷媒流路２３ｃ、アキュームレータ４４により、第１高温側ヒートポンプ式冷凍サイクルが構成される。
【００１８】
圧縮機５１の吐出冷媒が水熱交換器５２の冷媒流路５２ａに流れ、その冷媒流路５２ａを経た冷媒が電子膨張弁５３を介してカスケード熱交換器３３の冷媒流路３３ｃに流れる。冷媒流路３３ｃを経た冷媒は、アキュームレータ５４を通って圧縮機５１に吸込まれる。水熱交換器５２の冷媒流路５２ａが凝縮器として機能し、カスケード熱交換器３３の冷媒流路３３ｃが蒸発器として機能する。
【００１９】
これら圧縮機５１、水熱交換器５２の冷媒流路５２ａ、電子膨張弁５３、カスケード熱交換器３３の冷媒流路３３ｃ、アキュームレータ５４により、第２高温側ヒートポンプ式冷凍サイクルが構成される。
【００２０】
上記水配管２ａから流入する水は、水熱交換器５２の水流路５２ｂを通り、さらに水熱交換器４２の水流路４２ｂを通り、上記水配管２ｂへと流れる。
【００２１】
第１および第２低温側ヒートポンプ式冷凍サイクルの運転によって外気から熱が汲み上げられ、その汲み上げ熱が第１および第２高温側ヒートポンプ式冷凍サイクルおよび水配管２ａ，２ｂを介して貯湯タンク３内の温水に加わる。
【００２２】
各熱源機１、水配管２ａ，２ｂ、貯湯タンク３、ポンプ４、水温度センサ１１、外気温度センサ１２、および制御部１０により、貯湯タンク３内の水を熱媒体としてその熱媒体を加熱する冷凍サイクル装置が構成される。
【００２３】
制御部１０は、各熱源機１およびポンプ４，７，９の運転を制御するもので、主要な機能として次の（１）〜（５）の手段を備える。  
（１）負荷（＝Ｔｓ−Ｔｗ）に応じて熱源機１の運転台数を制御（サーモオン・サーモオフ制御）する第１制御手段。
【００２４】
（２）各熱源機１におけるヒートポンプ式冷凍サイクルの蒸発器（空気熱交換器２５ａ，２５ｂ，３５ａ，３５ｂ）の着霜度合（着霜量ともいう）を検出する検出手段。
【００２５】
（３）運転（サーモオン）中の熱源機１におけるヒートポンプ式冷凍サイクルの蒸発器のうち、上記検出した着霜度合が第３設定値（＞第２設定値）以上の蒸発器に対し、除霜運転を実行する第２制御手段。
【００２６】
（４）運転（サーモオン）中の熱源機１におけるヒートポンプ式冷凍サイクルの蒸発器のうち、上記検出した着霜度合が第３設定値未満かつ第２設定値（＞第１設定値）以上でその状態が第１設定時間ｔ１（例えば６０分）にわたり継続した蒸発器に対し、除霜運転を実行する第３制御手段。
【００２７】
（５）運転が中断（サーモオフ）している熱源機１におけるヒートポンプ式冷凍サイクルの蒸発器のうち、着霜度合が第１設定値以上でその状態が第２設定時間ｔ２（例えば１２０分）にわたり継続した蒸発器に対し、除霜運転を実行する第４制御手段。
【００２８】
なお、（３）の第２制御手段および（４）の第３制御手段は、除霜運転を実行しようとする蒸発器が複数ある場合、その各蒸発器に対する除霜運転を順次に実行する。
【００２９】
つぎに、制御部１０の制御を図３のフローチャートを参照しながら説明する。  
制御部１０は、水温度センサ１１の検知温度Ｔｗと予め定められている設定温度Ｔｓとの差を負荷（＝Ｔｓ−Ｔｗ）として検出する（ステップ１０１）。そして、制御部１０は、検出した負荷の大きさに応じて、熱源機１の運転台数を制御する（ステップ１０２）。具体的には、負荷が大きいほど熱源機１の運転台数を多くして加熱量を増大し、負荷が小さくなるのに伴い熱源機１の運転台数を減らして加熱量を減少する。
【００３０】
制御部１０は、各熱源機１におけるヒートポンプ式冷凍サイクルの蒸発器（空気熱交換器２５ａ，２５ｂ，３５ａ，３５ｂ）の着霜度合を、それぞれの熱源機１のサーモオンおよびサーモオフにかかわらず、各熱源機１における熱交温度センサ６１ａ，６１ｂ，６２ａ，６２ｂの検知温度Ｔｅおよび外気温度センサ１２の検知温度Ｔｏに基づいて検出する（ステップ１０３）。
【００３１】
着霜度合は、図４に示すように、外気温度Ｔｏと熱交換器温度Ｔｅとの差に応じて定めた複数のステージ“０”“１”“２”“３”で表わす。ステージ“０”は着霜なしに相当し、着霜が増えるに従いステージ数が大きくなる。ステージ“３”は、上記第３設定値以上に相当する。ステージ“２”は、上記第３設定値未満かつ上記第２設定値以上に相当する。上記第１設定値以上は、ステージ“１”に相当する。
【００３２】
空気熱交換器に霜がつくと、目詰まりして、熱交換し難くなる。目詰まりがなければ、冷媒と外気との間で十分な熱交換がなされるので、外気温度Ｔｏと熱交換器温度Ｔｅとの差は小さい。霜が着いていくのに伴い、熱交換量が減っていくので熱交換器温度Ｔｅが上がらず、外気温度Ｔｏと熱交換器温度Ｔｅとの差が大きくなる。この温度差が大きくなるほど、ステージが大きい。
【００３３】
例えば、外気温度Ｔｏが０℃で、熱交換器温度Ｔｅが−１０℃の場合、外気温度Ｔｏと熱交換器温度Ｔｅとの差は１０℃であり、着霜度合はステージ“０”である。外気温度Ｔｏが０℃で、熱交換器温度Ｔｅが−１４℃の場合、外気温度Ｔｏと熱交換器温度Ｔｅとの差は１４℃であり、着霜度合はステージ“１”である。外気温度Ｔｏが０℃で、熱交換器温度Ｔｅが−１６℃の場合、外気温度Ｔｏと熱交換器温度Ｔｅとの差は１６℃であり、着霜度合はステージ“２”である。外気温度Ｔｏが０℃で、熱交換器温度Ｔｅが−２０℃の場合、外気温度Ｔｏと熱交換器温度Ｔｅとの差は２０℃であり、着霜度合はステージ“３”である。
【００３４】
制御部１０は、サーモオンしている熱源機１のいずれかにおいて、例えば第１低温側ヒートポンプ式冷凍サイクルの空気熱交換器２５ａの着霜度合がステージ“３”の場合（ステップ１０４のＹＥＳ、ステップ１０５のＹＥＳ）、直ちに、その空気熱交換器２５ａに対する除霜運転を実行する（ステップ１０６）。
【００３５】
具体的には、第１低温側ヒートポンプ式冷凍サイクルの四方弁２２を切換えて、圧縮機２１の吐出冷媒が四方弁２２を介して空気熱交換器２５ａ，２５ｂに流れ、空気熱交換器２５ａ，２５ｂを経た冷媒が電子膨張弁２４ａ，２４ｂ、カスケード熱交換器２３，３３の冷媒流路２３ａ，３３ａ、四方弁２２、アキュームレータ２６を通って圧縮機２１に戻るいわゆる逆サイクルの除霜流路を形成する。第２低温側ヒートポンプ式冷凍サイクルについては四方弁３２を切換えずに通常の流路のまま圧縮機３１の運転を継続し、第１高温側ヒートポンプ式冷凍サイクルの圧縮機４１および第２高温側ヒートポンプ式冷凍サイクルの圧縮機５１の運転を停止する。
【００３６】
第２低温側ヒートポンプ式冷凍サイクルの運転により外気から汲み上げられた熱は、カスケード熱交換器２３,３３の冷媒流路２３ｂ,２２ｂから同カスケード熱交換器２３,３３の冷媒流路２３ａ,３３ａを介して第１低温側ヒートポンプ式冷凍サイクルの冷媒に移行する。この熱で空気熱交換器２５ａの霜が解けていく。第１および第２高温側ヒートポンプ式冷凍サイクルの運転は停止しているので、貯湯タンク３内の温水の熱が空気熱交換器２５ａの除霜に使用されることはない。
【００３７】
空気熱交換器２５ａの着霜度合がステージ“３”からステージ“０”に低下した場合、あるいは除霜運転の開始から所定時間が経過したとき、制御部１０は、除霜終了条件が成立したとの判断の下に（ステップ１０７のＹＥＳ）、除霜運転を停止する（ステップ１０８）。
【００３８】
なお、熱源機１における第１低温側ヒートポンプ式冷凍サイクルの例えば空気熱交換器２５ａの着霜度合がステージ“３”で、同じ熱源機１における第２低温側ヒートポンプ式冷凍サイクルの例えば空気熱交換器３５ａの着霜度合もステージ“３”である場合、制御部１０は、空気熱交換器２５ａ，３５ａに対する除霜運転を順次に実行する。先ず空気熱交換器２５ａに対する除霜運転を実行し、その除霜運転が終了した後、空気熱交換器３５ａに対する除霜運転を実行する。この実行順序は逆でもよい。
【００３９】
この場合、空気熱交換器２５ａの着霜度合および空気熱交換器３５ａの着霜度合が共にステージ“３”であることから、除霜に必要な熱を第２低温側ヒートポンプ式冷凍サイクル側で十分に汲み上げられるのかどうか心配が生じるが、第２低温側ヒートポンプ式冷凍サイクルには空気熱交換器３５ａに並列接続された空気熱交換器３５ｂが存在するので、除霜に必要な熱を第２低温側ヒートポンプ式冷凍サイクル側で十分に汲み上げることができる。
【００４０】
複数台の熱源機１においてステージ“３”の着霜度合が同時に生じる可能性もある。この場合、制御部１０は、ステージ“３”の熱源機１の台数が所定台数未満であればその各熱源機１における除霜運転を同時に実行し、ステージ“３”の熱源機１の台数が所定台数以上であればその各熱源機１における除霜運転を順次に実行する。所定台数については、各熱源機１の能力や貯湯タンク３の容量等に応じて適宜に選定される。
【００４１】
また、制御部１０は、サーモオンしている熱源機１のいずれかにおいて、例えば第１低温側ヒートポンプ式冷凍サイクルの空気熱交換器２５ａの着霜度合がステージ“２”でその状態が第１設定時間ｔ１にわたり継続した場合（ステップ１０４のＹＥＳ、ステップ１０５のＮＯ、ステップ１０９のＹＥＳ、ステップ１１０のＹＥＳ）、その熱源機１の空気熱交換器２５ａに対する除霜運転を実行する（ステップ１０６）。
【００４２】
第１設定時間ｔ１は、ステージ“２”を的確に判定するためのものである。この時間要素を判定に加えることにより、除霜運転の不要なオン，オフの繰り返しを防ぐことができる。
【００４３】
空気熱交換器２５ａの着霜度合がステージ“２”からステージ“０”に低下した場合、あるいは除霜運転の開始から所定時間が経過したとき、制御部１０は、除霜終了条件が成立したとの判断の下に（ステップ１０７のＹＥＳ）、除霜運転を停止する（ステップ１０８）。
【００４４】
一方、制御部１０は、サーモオフしている熱源機１のいずれかにおいて、例えば第１低温側ヒートポンプ式冷凍サイクルの空気熱交換器２５ａの着霜度合がステージ“１”以上でその状態が第２設定時間ｔ２にわたり継続した場合（ステップ１０４のＮＯ、ステップ１１１のＹＥＳ、ステップ１１２のＹＥＳ）、その熱源機１の空気熱交換器２５ａに対する除霜運転を実行する（ステップ１０６）。
【００４５】
第２設定時間ｔ２は、ステージ“１”以上を的確に判定するためのものである。この時間要素を判定に加えることにより、除霜運転の不要なオン，オフの繰り返しを防ぐことができる。
【００４６】
空気熱交換器２５ａの着霜度合がステージ“１”からステージ“０”に低下した場合、あるいは除霜運転の開始から所定時間が経過したとき、制御部１０は、除霜終了条件が成立したとの判断の下に（ステップ１０７のＹＥＳ）、除霜運転を停止する（ステップ１０８）。
【００４７】
具体的には、第１低温側ヒートポンプ式冷凍サイクルの四方弁２２を切換えて圧縮機２１を起動し、圧縮機２１の吐出冷媒が四方弁２２を介して空気熱交換器２５ａ，２５ｂに流れ、空気熱交換器２５ａ，２５ｂを経た冷媒が電子膨張弁２４ａ，２４ｂ、カスケード熱交換器２３,３３の冷媒流路２３ａ,３３ａ、四方弁２２、アキュームレータ２６を通って圧縮機２１に戻る除霜流路を形成する。第２低温側ヒートポンプ式冷凍サイクルについては四方弁３２を切換えずに圧縮機３１を起動し、第１高温側ヒートポンプ式冷凍サイクルの圧縮機４１および第２高温側ヒートポンプ式冷凍サイクルの圧縮機５１については停止状態を保つ。
【００４８】
このように、サーモオフした熱源機１における着霜度合がステージ“１”以上でその状態が第２設定時間ｔ２にわたり継続した場合はその熱源機１において除霜運転を実行することにより、その熱源機１が次にサーモオンするときには同熱源機１の空気熱交換器はすでに除霜されて目詰まりがない状態となる。結果として、サーモオン中の除霜運転の実行率が減少し、これに伴い、貯湯タンク３内の温水に対する加熱の中断を減らすことができる。これにより、加熱効率が向上し、省エネルギ効果が得られる。
【００４９】
なお、制御部１０は、サーモオフした熱源機１における第１低温側ヒートポンプ式冷凍サイクルの例えば空気熱交換器２５ａの着霜度合がステージ“１”以上で、同じ熱源機１における第２低温側ヒートポンプ式冷凍サイクルの例えば空気熱交換器３５ａの着霜度合もステージ“１”以上である場合、空気熱交換器２５ａ，３５ａに対する除霜運転を順次に実行する。先ず空気熱交換器２５ａに対する除霜運転を実行し、その除霜運転が終了した後、空気熱交換器３５ａに対する除霜運転を実行する。この実行順序は逆でもよい。
【００５０】
サーモオフした複数台の熱源機１においてステージ“１”以上の着霜度合が同時に生じる可能性もある。この場合、制御部１０は、複数台の熱源機１における除霜運転を同時に実行する。同時に実行しても、サーモオフ中なので、加熱量が低下することはない。
【００５１】
［変形例］  
上記実施形態では、貯湯タンク３の水を熱媒体とする冷凍サイクル装置について説明したが、室内空気を熱媒体とする空調用の冷凍サイクル装置についても同様に実施できる。
【００５２】
熱源機１が４つの空気熱交換器および４つの冷凍サイクルを有する場合を例に説明したが、空気熱交換器の個数および冷凍サイクルの個数については適宜に選定可能である。
【００５３】
その他、上記実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００５４】
１…熱源機、２ａ，２ｂ…水配管、３…貯湯タンク、４…ポンプ、５ａ，５ｂ…水配管、６…水熱交換器、７…ポンプ、８ａ，８ｂ…水配管、９…ポンプ、１０…制御部、１１…水温センサ、１２…外気温度センサ、２１，３１，４１，５１…圧縮機、２２，３２…四方弁、２３，３３…カスケード熱交換器、２５ａ，２５ｂ，３５ａ，３５ｂ…空気熱交換器、２６，３６，４４，５４…アキュームレータ、４２，５２…水熱交換器、６１ａ，６１ｂ，６２ａ，６２ｂ…冷媒蒸発温度センサ
【図１】
2015152186.tif 000003
【図２】
2015152186.tif 000004
【図３】
2015152186.tif 000005
【図４】
2015152186.tif 000006